(57)【要約】【課題】液晶パネルの湾曲による表示ムラを低減する。【解決手段】液晶表示装置１００は、液晶層と該液晶層を挟持する一対の可撓性を有する基板とを含む液晶パネル１５０と、液晶パネル１５０が一方向に湾曲した状態で保持されるよう、液晶パネル１５０の外周部をその前面および背面から挟み込む湾曲保持手段（下フレーム１２０、上フレーム１７０、および複数のボルト１８０とナット１９０）と、を含む。この湾曲保持手段による、液晶パネル１５０の非湾曲外周部に対する挟み込み強度は、液晶パネル１５０の湾曲外周部に対する挟み込み強度より大きい。【選択図】図１
2010039441.tif 000002
【特許請求の範囲】
【請求項１】
液晶層と、該液晶層を挟持する一対の可撓性を有する基板と、を含む液晶パネルと、
前記液晶パネルが一方向に湾曲した状態で保持されるよう、前記液晶パネルの外周部をその前面および背面から挟み込む湾曲保持手段と、
を含み、
前記液晶パネルの非湾曲外周部に対する前記湾曲保持手段による挟み込み強度は、前記液晶パネルの湾曲外周部に対する前記湾曲保持手段による挟み込み強度より大きい、
ことを特徴とする液晶表示装置。
【請求項２】
請求項１に記載の液晶表示装置において、
前記液晶パネルの非湾曲外周部に対する前記湾曲保持手段による挟み込み強度は、前記液晶パネルの湾曲外周部からの距離に応じて異なる、
ことを特徴とする液晶表示装置。
【請求項３】
請求項２に記載の液晶表示装置において、
前記液晶パネルの非湾曲外周部に対する前記湾曲保持手段による挟み込み強度は、前記液晶パネルの湾曲外周部からの距離に応じて増大する、
ことを特徴とする液晶表示装置。
【請求項４】
請求項１に記載の液晶表示装置において、
前記湾曲保持手段は、
前記液晶パネルの外周部をその前面側から押圧する前面側湾曲フレームと、
前記液晶パネルの少なくとも外周部をその背面側から押圧する背面側湾曲構造体と、
を含む、
ことを特徴とする液晶表示装置。
【請求項５】
請求項４に記載の液晶表示装置において、
前記湾曲保持手段は、前記前面側湾曲フレームのうち前記液晶パネルの非湾曲外周部に対向する部分と、前記背面側湾曲構造体のうち前記液晶パネルの非湾曲外周部に対向する部分と、を対向固定する複数の固定具をさらに含む、
ことを特徴とする液晶表示装置。
【請求項６】
請求項５に記載の液晶表示装置において、
前記固定具間の間隔は、前記液晶パネルの湾曲外周部からの距離に応じて減少する、
を含むことを特徴とする液晶表示装置。
【請求項７】
請求項５に記載の液晶表示装置において、
前記固定具は、一対のボルトとナットである、
ことを特徴とする液晶表示装置。
【請求項８】
請求項７に記載の液晶表示装置において、
前記ボルトとナットは、所定の厚さを有する押え板を介して、前記前面側湾曲フレームと前記背面側湾曲構造体とを対向固定する、
ことを特徴とする液晶表示装置。
【請求項９】
請求項５に記載の液晶表示装置において、
前記固定具は、前記前面側湾曲フレームおよび前記背面側湾曲構造体の一方に接合または一体化された、前記前面側湾曲フレームおよび前記背面側湾曲構造体の他方の所定部分に嵌合する抜け止め爪である、
ことを特徴とする液晶表示装置。
【請求項１０】
請求項９に記載の液晶表示装置において、
前記抜け止め爪の長さは、前記液晶パネルの湾曲外周部からの距離に応じて増大する、
ことを特徴とする液晶表示装置。
【請求項１１】
請求項４に記載の液晶表示装置において、
前記前面側湾曲フレームのうち前記液晶パネルの非湾曲外周部に対向する部分は、前記液晶パネルの湾曲外周部からの距離に応じて隆起する隆起部を含む、
を含むことを特徴とする液晶表示装置。
【請求項１２】
請求項４に記載の液晶表示装置において、
前記背面側湾曲構造体は、前記液晶パネルの外周部をその背面側から押圧する背面湾曲フレームである、
ことを特徴とする液晶表示装置。
【請求項１３】
請求項１１に記載の液晶表示装置において、
前記背面湾曲フレームのうち前記液晶パネルの非湾曲外周部に対向する部分は、前記液晶パネルの湾曲外周部からの距離に応じて隆起する隆起部を含む、
ことを特徴とする液晶表示装置。
【請求項１４】
請求項４に記載の液晶表示装置において、
前記背面側湾曲構造体は、前記液晶パネルと、前記液晶パネルの背面側に配置されるバックライトと、の間に配置され、前記バックライトから前記液晶パネルに向けて発せられる光を拡散させる、
ことを特徴とする液晶表示装置。
【発明の詳細な説明】
【技術分野】
【０００１】
本発明は、液晶表示装置に関し、特に、湾曲した液晶パネルを含む液晶表示装置に関する。
【背景技術】
【０００２】
液晶パネルを用いて曲面ディスプレイを製作するには、液晶層を挟持する一対の透明基板（たとえばガラス基板）を薄板化して可撓性を持たせた液晶パネルを何らかの湾曲部材に沿わせて一方向に湾曲させるとともに、液晶パネルの湾曲した辺（湾曲辺）に直交する湾曲していない辺（非湾曲辺）を保持部材により保持する方法が比較的容易である。たとえば、特許文献１，２にも、液晶パネルを湾曲させる技術が開示されている。
【特許文献１】特開平８−２８６１７４号公報
【特許文献２】特開２００６−１０６０７９号公報
【発明の開示】
【発明が解決しようとする課題】
【０００３】
しかしながら、上記方法で一方向に液晶パネルを湾曲させると、図７に示すように、透明基板の弾力（原形に戻ろうとする力）により、図示しない湾曲部材によって直接保持されない非湾曲辺６０の中央付近７０で基板間隔が広がり、中央付近７０に表示ムラ（いわゆるギャップムラ）が生じてしまうという問題があった。
【０００４】
本発明は、上記課題に鑑みてなされたものであり、液晶パネルの湾曲による表示ムラを低減することができる液晶表示装置を提供することを目的とする。
【課題を解決するための手段】
【０００５】
上記課題を解決するために、本発明に係る液晶表示装置は、液晶層と、該液晶層を挟持する一対の可撓性を有する基板と、を含む液晶パネルと、前記液晶パネルが一方向に湾曲した状態で保持されるよう、前記液晶パネルの外周部をその前面および背面から挟み込む湾曲保持手段と、を含み、前記液晶パネルの非湾曲外周部に対する前記湾曲保持手段による挟み込み強度は、前記液晶パネルの湾曲外周部に対する前記湾曲保持手段による挟み込み強度より大きい、ことを特徴とする。
【０００６】
本発明によれば、一方向に湾曲した液晶パネルの非湾曲外周部における基板間隔の広がりが抑制される。このため、液晶パネルの湾曲による表示ムラを低減することができる。
【０００７】
また、本発明の一態様では、前記液晶パネルの非湾曲外周部に対する前記湾曲保持手段による挟み込み強度は、前記液晶パネルの湾曲外周部からの距離に応じて異なる。
【０００８】
また、本発明の一態様では、前記液晶パネルの非湾曲外周部に対する前記湾曲保持手段による挟み込み強度は、前記液晶パネルの湾曲外周部からの距離に応じて増大する。この態様によれば、一方向に湾曲した液晶パネルの非湾曲外周部の中央付近における基板間隔の広がりを好適に抑制することができる。
【０００９】
また、本発明の一態様では、前記湾曲保持手段は、前記液晶パネルの外周部をその前面側から押圧する前面側湾曲フレームと、前記液晶パネルの少なくとも外周部をその背面側から押圧する背面側湾曲構造体と、を含む。
【００１０】
また、本発明の一態様では、前記湾曲保持手段は、前記前面側湾曲フレームのうち前記液晶パネルの非湾曲外周部に対向する部分と、前記背面側湾曲構造体のうち前記液晶パネルの非湾曲外周部に対向する部分と、を対向固定する複数の固定具をさらに含む。
【００１１】
また、本発明の一態様では、前記固定具間の間隔は、前記液晶パネルの湾曲外周部からの距離に応じて減少する。
【００１２】
また、本発明の一態様では、前記固定具は、一対のボルトとナットである。
【００１３】
この態様では、前記ボルトとナットは、所定の厚さを有する押え板を介して、前記前面側湾曲フレームと前記背面側湾曲構造体とを対向固定してもよい。
【００１４】
また、本発明の一態様では、前記固定具は、前記前面側湾曲フレームおよび前記背面側湾曲構造体の一方に接合または一体化された、前記前面側湾曲フレームおよび前記背面側湾曲構造体の他方の所定部分に嵌合する抜け止め爪である。
【００１５】
この態様では、前記抜け止め爪の長さは、前記液晶パネルの湾曲外周部からの距離に応じて増大してもよい。
【００１６】
また、本発明の一態様では、前記前面側湾曲フレームのうち前記液晶パネルの非湾曲外周部に対向する部分は、前記液晶パネルの湾曲外周部からの距離に応じて隆起する隆起部を含む。
【００１７】
また、本発明の一態様では、前記背面側湾曲構造体は、前記液晶パネルの外周部をその背面側から押圧する背面湾曲フレームである。
【００１８】
この態様では、前記背面湾曲フレームのうち前記液晶パネルの非湾曲外周部に対向する部分は、前記液晶パネルの湾曲外周部からの距離に応じて隆起する隆起部を含んでもよい。
【００１９】
また、本発明の一態様では、前記背面側湾曲構造体は、前記液晶パネルと、前記液晶パネルの背面側に配置されるバックライトと、の間に配置され、前記バックライトから前記液晶パネルに向けて発せられる光を拡散させる。
【発明を実施するための最良の形態】
【００２０】
以下、本発明の実施形態を図面に基づいて詳細に説明する。なお、同一のまたは類似する構成要素については、重複説明を省略する。
【００２１】
［実施形態１］
図１は、本発明の実施形態１に係る液晶表示装置１００の構成部品を示す図である。
【００２２】
同図に示すように、液晶表示装置１００は、バックライト１１０、下フレーム１２０、ＰＣシート（ポリカーボネートシート）１３０，１６０、拡散シート１４０、液晶パネル１５０、上フレーム１７０、ボルト１８０およびナット１９０を含んで構成される。
【００２３】
液晶パネル１５０は、液晶層と、該液晶層を挟持する一対の可撓性を有する四角形状のガラス基板と、を含む。液晶パネル１５０には、一対のガラス基板に形成された画素電極と対向電極との間の電圧を制御する駆動回路、駆動回路に対する電気信号などを伝送するフレキシブルプリント基板、などが接続される。
【００２４】
バックライト１１０は、液晶パネル１５０の背面側に配置される光源である。
【００２５】
拡散シート１４０は、バックライト１１０と液晶パネル１５０との間に配置される可撓性を有する透明または半透明のシートであり、バックライト１１０から液晶パネル１５０に向けて発せられる光を拡散させる。
【００２６】
ＰＣシート１３０，１６０は、ポリカーボネートで形成された可撓性を有する透明のシートである。ＰＣシート１３０は、バックライト１１０と拡散シート１４０との間に配置され、ＰＣシート１６０は、液晶パネル１５０の前面側に配置される。
【００２７】
下フレーム１２０、上フレーム１７０、および複数のボルト１８０とナット１９０は、液晶パネル１５０が一方向に（ここでは円弧状に）湾曲した状態で保持されるよう、四角形状の液晶パネル１５０の外周部（画素領域を除く縁の部分）をその前面および背面から挟み込む湾曲保持手段である。
【００２８】
下フレーム１２０は、液晶パネル１５０の背面側かつバックライト１１０と拡散シート１４０との間に配置される金属製のフレームである。下フレーム１２０は、液晶パネル１５０側に凸となるよう円弧状に湾曲した相対向する一対の縁部（以下「湾曲縁部」という）と、湾曲していない相対向する一対の縁部（以下「非湾曲縁部」という）と、からなり、液晶パネル１５０の外周部をその背面側からＰＣシート１３０および拡散シート１４０を介して押圧する。下フレーム１２０の湾曲縁部と非湾曲縁部とに囲まれた開口領域は液晶パネル１５０の画素領域に対応しており、バックライト１１０から液晶パネル１５０に向けて発せられる光が下フレーム１２０によって遮られないようになっている。
【００２９】
上フレーム１７０は、液晶パネル１５０の前面側に配置される金属製のフレームである。上フレーム１７０は、液晶パネル１５０側に凹となるよう円弧状に湾曲した相対向する一対の湾曲縁部と、湾曲していない相対向する一対の非湾曲縁部と、からなり、液晶パネル１５０の外周部をその前面側からＰＣシート１６０を介して押圧する。上フレーム１７０の湾曲縁部と非湾曲縁部とに囲まれた開口領域は液晶パネル１５０の画素領域に対応しており、液晶パネル１５０からその前面側に発せられる光が上フレーム１７０によって遮られないようになっている。なお、上フレーム１７０の湾曲縁部の湾曲形状は、下フレーム１２０の湾曲縁部の湾曲形状に対応している。
【００３０】
液晶表示装置１００では、図１（ａ）に示すように、ＰＣシート１３０、拡散シート１４０、液晶パネル１５０、およびＰＣシート１６０がこの順で積層され、さらにその両側から下フレーム１２０および上フレーム１７０で挟み込まれ、下フレーム１２０の湾曲縁部および上フレーム１７０の湾曲縁部に沿って円弧状に湾曲した状態で保持される。
【００３１】
特に本実施形態では、上フレーム１７０の非湾曲縁部、下フレーム１２０の非湾曲縁部、およびそれらで挟み込まれるＰＣシート１３０，１６０に、所定の間隔で複数のボルト用の孔が形成されており、図１（ｂ）に示すように、これらの孔を貫通するボルト１８０とナット１９０によって、上フレーム１７０の非湾曲縁部と下フレーム１２０の非湾曲縁部とが対向固定される。
【００３２】
これにより、湾曲保持手段（下フレーム１２０、上フレーム１７０、および複数のボルト１８０とナット１９０）による、液晶パネル１５０の外周部のうち湾曲していない部分（以下「非湾曲外周部」という）に対する挟み込み強度は、液晶パネル１５０の外周部のうち湾曲した部分（以下「湾曲外周部」という）に対する挟み込み強度より大きくなり、円弧状に湾曲した液晶パネル１５０の非湾曲外周部における基板間隔の広がりが抑制される。このため、液晶パネル１５０の湾曲による表示ムラを低減することができる。
【００３３】
なお、液晶パネル１５０の湾曲外周部からの距離に応じて、上フレーム１７０の非湾曲縁部と下フレーム１２０の非湾曲縁部とを対向固定するボルト１８０間の間隔を減少させてもよい。すなわち、上フレーム１７０の非湾曲縁部と下フレーム１２０の非湾曲縁部の中央付近に、より密にボルト１８０を配置してもよい。こうすれば、円弧状に湾曲した液晶パネル１５０の非湾曲縁部の中央付近がその端付近より強固に挟み込まれ、液晶パネル１５０の非湾曲縁部の中央付近における基板間隔の広がりを好適に抑制することができる。
【００３４】
また、図４に示すように、上フレーム１７０の非湾曲縁部に複数の抜け止め爪を接合または一体化し、これら抜け止め爪を下フレーム１２０の所定部分に嵌合させることにより、上フレーム１７０の非湾曲縁部と下フレーム１２０の非湾曲縁部とを対向固定してもよい。こうすれば、ボルト１８０およびナット１９０を用いることなく、液晶パネル１５０の非湾曲縁部を、液晶パネル１５０の湾曲外周部より強固に挟み込むことができる。もちろん、これらの抜け止め爪を、下フレーム１２０側に設けてもよい。
【００３５】
この場合、液晶パネル１５０の湾曲外周部からの距離に応じて、上フレーム１７０の非湾曲縁部と下フレーム１２０の非湾曲縁部とを対向固定する抜け止め爪間の間隔を減少させてもよいし、抜け止め爪の長さを増大させてもよい。こうすれば、円弧状に湾曲した液晶パネル１５０の非湾曲縁部の中央付近における基板間隔の広がりを好適に抑制することができる。
【００３６】
また、図５に示すように、上フレーム１７０の非湾曲縁部に、液晶パネル１５０の湾曲外周部からの距離に応じて隆起する隆起部を形成してもよい。こうしても、円弧状に湾曲した液晶パネル１５０の非湾曲縁部の中央付近における基板間隔の広がりを好適に抑制することができる。
【００３７】
［実施形態２］
図２は、本発明の実施形態２に係る液晶表示装置２００の構成部品を示す図である。
【００３８】
同図に示すように、液晶表示装置２００は、下フレーム２２０、バックライト２１０、拡散板２４０、液晶パネル２５０、ＰＣシート２６０、上フレーム２７０、ボルト２８０およびナット（図示せず）を含んで構成される。
【００３９】
液晶パネル２５０は、液晶層と、該液晶層を挟持する一対の可撓性を有する四角形状のガラス基板と、を含む。
【００４０】
バックライト２１０は、液晶パネル２５０の背面側に配置される光源である。バックライト２１０は、その背面側から下フレーム２２０によって支持される。
【００４１】
ＰＣシート２３０，２６０は、ポリカーボネートで形成された可撓性を有する透明のシートである。ＰＣシート２３０は、液晶パネル２５０の背面側に配置され、ＰＣシート２６０は、液晶パネル２５０の前面側に配置される。
【００４２】
拡散板２４０、上フレーム２７０、および複数のボルト２８０とナットは、液晶パネル２５０が一方向に（ここでは円弧状に）湾曲した状態で保持されるよう、四角形状の液晶パネル２５０の外周部（画素領域を除く縁の部分）をその前面および背面から挟み込む湾曲保持手段である。
【００４３】
拡散板２４０は、液晶パネル２５０の背面側かつバックライト２１０と液晶パネル２５０との間に配置される透明または半透明の部材であり、バックライト２１０から液晶パネル２５０に向けて発せられる光を拡散させる。また、拡散板２４０の上面は、液晶パネル２５０側に凸となるよう円弧状に湾曲した湾曲面であり、液晶パネル２５０をその背面側からＰＣシート２３０を介して押圧する。
【００４４】
上フレーム２７０は、液晶パネル２５０の前面側に配置される金属製のフレームである。上フレーム２７０は、液晶パネル２５０側に凹となるよう円弧状に湾曲した相対向する一対の湾曲縁部と、湾曲していない相対向する一対の非湾曲縁部と、からなり、液晶パネル２５０の外周部をその前面側からＰＣシート２６０を介して押圧する。上フレーム２７０の湾曲縁部と非湾曲縁部とに囲まれた開口領域は液晶パネル２５０の画素領域に対応しており、液晶パネル２５０からその前面側に発せられる光が上フレーム２７０によって遮られないようになっている。なお、上フレーム２７０の湾曲縁部の湾曲形状は、拡散板２４０の湾曲面の湾曲形状に対応している。
【００４５】
液晶表示装置２００では、図２に示すように、バックライト２１０、拡散板２４０、ＰＣシート２３０、液晶パネル２５０、およびＰＣシート２６０がこの順で積層され、さらにその両側から下フレーム２２０および上フレーム２７０で挟み込まれる。このうち、ＰＣシート２３０、液晶パネル２５０、およびＰＣシート２６０は、拡散板２４０の湾曲面および上フレーム２７０の湾曲縁部に沿って円弧状に湾曲した状態で保持される。
【００４６】
特に本実施形態では、上フレーム２７０の非湾曲縁部、および下フレーム２２０のうち上フレーム２７０の非湾曲縁部に対向する部分（以下「対向固定縁部」という）に、所定の間隔で複数のボルト用の孔が形成されており、これらの孔を貫通するボルト２８０とナットによって、上フレーム２７０の非湾曲縁部と下フレーム２２０の対向固定縁部とが対向固定される。その結果、上フレーム２７０の非湾曲縁部も拡散板２４０に対して対向固定される。
【００４７】
これにより、湾曲保持手段（拡散板２４０、上フレーム２７０、および複数のボルト２８０とナット）による、液晶パネル２５０の非湾曲外周部に対する挟み込み強度は、液晶パネル２５０の湾曲外周部に対する挟み込み強度より大きくなり、円弧状に湾曲した液晶パネル２５０の非湾曲外周部における基板間隔の広がりが抑制される。このため、液晶パネル２５０の湾曲による表示ムラを低減することができる。
【００４８】
なお、液晶パネル２５０の湾曲外周部からの距離に応じて、上フレーム２７０の非湾曲縁部と下フレーム２２０の対向固定縁部とを対向固定するボルト２８０間の間隔を減少させてもよい。すなわち、上フレーム２７０の非湾曲縁部と下フレーム２２０の非湾曲縁部の中央付近に、より密にボルト２８０を配置してもよい。こうすれば、円弧状に湾曲した液晶パネル２５０の非湾曲外周部の中央付近における基板間隔の広がりを好適に抑制することができる。
【００４９】
また、上記実施形態１と同様、図４に示す複数の抜け止め爪を上フレーム２７０の非湾曲縁部に設けてもよいし、図５に示す隆起部を上フレーム２７０の非湾曲縁部または拡散板２４０の上面のうち上フレーム２７０の非湾曲縁部に対向する部分に設けてもよい。
【００５０】
［実施形態３］
図３は、本発明の実施形態３に係る液晶表示装置３００の構成部品を示す図である。
【００５１】
同図に示すように、液晶表示装置３００は、バックライト３１０、パイプ３９０、拡散シート３４０、液晶パネル３５０、上フレーム３７０、押え板３７２、ボルト３８０およびナット（図示せず）を含んで構成される。
【００５２】
液晶パネル３５０は、液晶層と、該液晶層を挟持する一対の可撓性を有する四角形状のガラス基板と、を含む。
【００５３】
バックライト３１０は、液晶パネル３５０の背面側に配置される光源である。
【００５４】
拡散シート３４０は、バックライト３１０と液晶パネル３５０との間に配置される可撓性を有する透明または半透明のシートであり、バックライト３１０から液晶パネル３５０に向けて発せられる光を拡散させる。
【００５５】
パイプ３９０、上フレーム３７０、押え板３７２、および複数のボルト３８０とナットは、液晶パネル３５０が一方向に（ここでは円弧状に）湾曲した状態で保持されるよう、四角形状の液晶パネル３５０の外周部（画素領域を除く縁の部分）をその前面および背面から挟み込む湾曲保持手段である。
【００５６】
パイプ３９０は、液晶パネル３５０の背面側かつバックライト３１０と拡散シート３４０との間に配置されるたとえばアクリルで形成された透明の部材である。また、パイプ３９０の上面は、液晶パネル３５０側に凸となるよう円弧状に湾曲した湾曲面であり、液晶パイプ３５０をその背面側から拡散シート３４０を介して押圧する。
【００５７】
上フレーム３７０は、液晶パネル３５０の前面側に配置される金属製のフレームである。上フレーム３７０は、液晶パネル３５０側に凹となるよう円弧状に湾曲した相対向する一対の湾曲縁部と、湾曲していない相対向する一対の非湾曲縁部と、からなり、液晶パネル３５０の外周部をその前面側から押圧する。上フレーム３７０の湾曲縁部と非湾曲縁部とに囲まれた開口領域は液晶パネル３５０の画素領域に対応しており、液晶パネル３５０からその前面側に発せられる光が上フレーム３７０によって遮られないようになっている。なお、上フレーム３７０の湾曲縁部の湾曲形状は、パイプ３９０の湾曲面の湾曲形状に対応している。
【００５８】
液晶表示装置３００では、図３に示すように、拡散シート３４０および液晶パネル３５０が、その両側からパイプ３９０および上フレーム３７０で挟み込まれ、パイプ３９０の湾曲面および上フレーム３７０の湾曲縁部に沿って円弧状に湾曲した状態で保持される。
【００５９】
特に本実施形態では、上フレーム３７０の非湾曲縁部、およびパイプ３９０のうち上フレーム３７０の非湾曲縁部に対向する部分（対向固定縁部）に、所定の間隔で複数のボルト用の孔が形成されており、これらの孔を貫通するボルト３８０とナットによって、上フレーム３７０の非湾曲縁部とパイプ３９０の対向固定縁部とが対向固定される。このとき、ボルト３８０とナットは、所定の厚さを有しボルト用の孔が形成された押え板３７２を介して、上フレーム３７０とパイプ３９０とを対向固定する。
【００６０】
これにより、湾曲保持手段（パイプ３９０、上フレーム３７０、押え板３７２、および複数のボルト３８０とナット）による、液晶パネル３５０の非湾曲外周部に対する挟み込み強度は、液晶パネル３５０の湾曲外周部に対する挟み込み強度より大きくなり、円弧状に湾曲した液晶パネル３５０の非湾曲外周部における基板間隔の広がりが抑制される。このため、湾曲による液晶パネル３５０の表示ムラを低減することができる。
【００６１】
以上説明した実施形態１〜３に係る液晶表示装置１００，２００，３００によれば、一方向に湾曲した液晶パネルの非湾曲外周部における基板間隔の広がりが抑制される。このため、液晶パネルの湾曲による表示ムラを低減することができる。
【００６２】
なお、本発明は、上記実施形態に限定されるものではない。
【００６３】
たとえば、上記実施形態では、四角形状の液晶パネルを湾曲させる例を示したが、本発明は、多角形、角の取れた多角形、楕円のなどの形状を有する液晶パネルにも適用できる。また、本発明は、前面側に凸または凹になるよう円弧状に湾曲した液晶パネルだけでなく、一方向に湾曲した液晶パネル（たとえば波状に湾曲した液晶パネル）に広く適用可能である。
【００６４】
また、液晶表示装置を構成する部品の種類、構造、配置順序などは、液晶パネルが一方向に湾曲した状態で保持されるよう液晶パネルの外周部をその前面および背面から挟み込む湾曲保持手段が確保される限りにおいて、適宜変更してもよい。
【００６５】
また、湾曲保持手段は、上フレームや下フレームなどが一体に形成されたものであってもよい。この場合、液晶パネルは、たとえば湾曲保持手段に横からスライド挿入される。
【００６６】
なお、液晶パネルの湾曲による表示ムラを低減するために、従来の液晶層の封入構造に改良を加えてもよい。図６は、液晶パネルの非湾曲外周部近傍の部分断面図である。従来、液晶層３０は、同図（ａ）に示すように、相対向する一対のガラス基板１０，２０の縁に設けられた基板面に対して垂直なシール面４０によって、ガラス基板１０とガラス基板２０との間に封入されている。これに対して、改良した液晶層の封入構造では、同図（ｂ）に示すように、ガラス基板１０，２０の縁に、基板面対して斜めに傾いたシール面４２を設ける。具体的には、液晶パネルの湾曲により伸張される側のガラス基板（ここではガラス基板１０）とシール面４２との接着位置が、圧縮される側のガラス基板（ここではガラス基板２０）とシール面４２との接着位置より所定長だけ基板外周方向にずれるよう、シール面４２を傾ける。こうすれば、液晶パネルが湾曲したときに、伸張される側のガラス基板に生じる「基板間隔を広げる力」が軽減されるため、液晶パネルの湾曲による表示ムラを低減することができる。
【図面の簡単な説明】
【００６７】
【図１】本発明の実施形態１に係る液晶表示装置の構成部品を示す図である。
【図２】本発明の実施形態２に係る液晶表示装置の構成部品を示す図である。
【図３】本発明の実施形態３に係る液晶表示装置の構成部品を示す図である。
【図４】非湾曲縁部に複数の抜け止め爪が接合または一体化された上フレームを示す図である。
【図５】非湾曲縁部の中央付近が隆起した上フレームを示す図である。
【図６】液晶パネルの非湾曲外周部近傍の部分断面図である。
【図７】一方向に湾曲した液晶パネルを示す図である。
【符号の説明】
【００６８】
１０，２０  ガラス基板、３０  液晶層、４０，４２  シール面、５０  湾曲辺、６０  非湾曲辺、７０  非湾曲辺の中央付近、１００，２００，３００  液晶表示装置、１１０，２１０，３１０  バックライト、１２０，２２０  下フレーム、１３０，１６０，２３０，２６０  ＰＣシート（ポリカーボネートシート）、１４０，３４０  拡散シート、１５０，２５０，３５０  液晶パネル、１７０，２７０，３７０  上フレーム、１８０，２８０，３８０  ボルト、１９０  ナット、２４０  拡散板、３７２  押え板、３９０  パイプ。
【図１】
2010039441.tif 000003
【図２】
2010039441.tif 000004
【図３】
2010039441.tif 000005
【図４】
2010039441.tif 000006
【図５】
2010039441.tif 000007
【図６】
2010039441.tif 000008
【図７】
2010039441.tif 000009